(57)【要約】【課題】炭を含む土壌改良材を土壌に満遍なく施用できると共に、作業にかける労力や時間を低減することができる土壌改良材施用具を提供する。【解決手段】土壌改良材施用具１は、網体またはパンチング材で形成され、上方に開口している外郭容器１０と、少なくとも活性炭及び界面活性剤を含有する土壌改良材Ｍが袋体１２に封入されている土壌改良材収容袋１１とを具備し、土壌改良材収容袋は外郭容器に収容されている。外郭容器は、逆円錐形状または有底角筒状に形成されているものとすることができる。【選択図】図１
0003155185.tif 000002
【実用新案登録請求の範囲】
【請求項１】
網体またはパンチング材で形成され、上方に開口している外郭容器と、
少なくとも活性炭及び界面活性剤を含有する土壌改良材が袋体に封入されている土壌改良材収容袋とを具備し、
前記土壌改良材収容袋は前記外郭容器に収容されている
ことを特徴とする土壌改良材施用具。
【請求項２】
前記外郭容器は、逆円錐形状に形成されている
ことを特徴とする請求項１に記載の土壌改良材施用具。
【請求項３】
前記外郭容器は、有底角筒状に形成されている
ことを特徴とする請求項１に記載の土壌改良材施用具。
【請求項４】
前記袋体は、水溶紙で形成されている
ことを特徴とする請求項１乃至請求項３の何れか一つに記載の土壌改良材施用具。
【請求項５】
請求項１乃至請求項４の何れか一つに記載の土壌改良材施用具に用いられる土壌改良材収容袋であって、
前記袋体は、前記外郭容器に挿脱可能に嵌挿される大きさ及び形状に形成されている
ことを特徴とする土壌改良材収容袋。
【考案の詳細な説明】
【技術分野】
【０００１】
本考案は、田畑などに土壌改良材を施用するために使用する土壌改良材施用具、及び、該土壌改良材施用具に用いられる土壌改良材収容袋に関するものである。
【背景技術】
【０００２】
炭を田畑に撒くことは古くから行われており、木炭は政令指定土壌改良資材の一つに指定されている。これは、炭が極めて微細な気孔を多数有する多孔質体であるため、土壌の透水性や通気性が改善され、土壌中の有害物質が吸着されると共に、有用微生物の住処となって土壌の微生物環境が改善されるためと言われている。
【考案の概要】
【考案が解決しようとする課題】
【０００３】
しかしながら、炭を田畑に撒く場合、炭が風で飛散して作業がしにくいことに加え、撒かれた後でも、炭が風によって土壌の表層から吹き飛ばされてしまうおそれがある。また、土壌の表層に撒かれただけの炭は、雨水によって流去してしまうおそれもある。そのため、炭を撒いた後は、撒かれた炭を土壌にすき込む作業が必要である。加えて、炭が土壌中で塊状や層状になっている場合は、上記のような土壌改良作用が得られにくいことから、炭を土壌にすき込む際には、炭を土壌と十分に混合する必要があり、そのための労力や時間は作業者にとって過大な負担となっていた。
【０００４】
そこで、本考案は上記の実情に鑑み、炭を含む土壌改良材を土壌に満遍なく施用できると共に、作業にかける労力や時間を低減することができる土壌改良材施用具、及び、該土壌改良材施用具に専ら用いられる土壌改良材収容袋の提供を、課題とするものである。
【課題を解決するための手段】
【０００５】
上記課題を解決するため、本考案にかかる土壌改良材施用具は、
「網体またはパンチング材で形成され、上方に開口している外郭容器と、
少なくとも活性炭及び界面活性剤を含有する土壌改良材が袋体に封入されている土壌改良材収容袋とを具備し、
前記土壌改良材収容袋は前記外郭容器に収容されている」ものである。
【０００６】
「網体で形成された外殻容器」としては、金属製の網を用いて形成された容器や、藤、竹などが編まれて形成されたかご状の容器を使用可能であり、耐水性、耐候性、耐腐食性を考慮すると、ステンレス製であることが望ましい。また、「パンチング材で形成された外殻容器」としては、パンチングメタルを用いて形成された容器や、器壁に多数の貫通孔が設けられた樹脂製の容器を例示することができる。
【０００７】
「袋体」は、プラスチックなど不透水性の材料で形成されているもの、後述のように水溶性の材料で形成されているものを使用することができる。
【０００８】
「活性炭」としては、ヤシ殻、コーヒー豆抽出残渣、もみ殻、茶殻、木材、石炭など、種々の原料から得られたものを、特に限定なく使用することが可能である。
【０００９】
「界面活性剤」としては、陰イオン界面活性剤、陽イオン界面活性剤、両性界面活性剤、非イオン界面活性剤を、何れも使用可能である。
【００１０】
上記構成の土壌改良材施用具は、例えば、次のように使用することができる。まず、土壌改良材収容袋が外郭容器に収容されている状態で、畑や水田に運び、外郭容器を土壌に少なくとも一部が埋設されるように設置する。或いは、外郭容器を予め土壌に設置した状態で、上方の開口から外郭容器の中に土壌改良材収容袋をセットしても良い。そして、袋体が不透水性である場合は袋体を破断させ、放置する。このようにしておくと、降雨の際に雨水の流れと共に、活性炭が外郭容器の網目または貫通孔を介して流れ出し、雨水が土壌に浸み込むのに伴い活性炭も土壌中に浸透していく。このとき、土壌改良材には界面活性剤が含有されているので、活性炭の親水性が高められ、雨水と共に土壌の深層まで、且つ、外郭容器が埋設された位置から離れた場所まで広範囲に亘り、活性炭が満遍なく行き渡る。
【００１１】
従って、本考案によれば、活性炭を土壌に撒く作業や、撒かれた活性炭を土壌にすき込み、土壌と混合する面倒な作業を必要とせず、土壌改良材施用具を土壌に設置し、あとは放置しておくのみの極めて簡易な作業で、労力や時間をかけずに、活性炭を含有する土壌改良材を土壌に満遍なく施用することができる。また、土壌改良材施用具が放置されている間、活性炭を含む土壌改良材は外郭容器に収容されている状態であるため、外郭容器が障害となり、土壌改良材の風による飛散や雨水による流失が抑制される。
【００１２】
本考案にかかる土壌改良材施用具は、上記構成に加え、
「前記外郭容器は、逆円錐形状に形成されている」ものとすることができる。
【００１３】
上記構成の本考案では、外郭容器が逆円錐形をしているので、その頂点部分、即ち、尖っている部分を土壌に突き刺すようにして、土壌に設置することができる。すなわち、極めて容易な動作で、土壌改良材施用具を土壌に設置することができる。
【００１４】
本考案にかかる土壌改良材施用具は、上記構成に加え、「前記外郭容器は、有底角筒状に形成されている」ものとすることができる。
【００１５】
上記構成の本考案では、外郭容器が有底角筒状をしているので、用水路から水田に水を引き込む流入口として、水田周りの畦が切られた開口部に、土壌改良材施用具を設置しやすい。従って、本考案によれば、用水路から流入する水と共に、活性炭を含む土壌改良材を水田の土壌に施用することができる。この際、流入する水によって土壌改良材が押し流されるような状態となるが、土壌改良材には界面活性剤が含有されているため、活性炭は水中に均一に分散する。これにより、活性炭を含む土壌改良材を、水の流れと共に、水田全体の土壌に満遍なく行き渡らせることができる。
【００１６】
なお、通常の水田に設けられる畦を考慮すると、有底角筒状の外郭容器の寸法は、幅２０ｃｍ〜５０ｃｍ、奥行き１０ｃｍ〜３０ｃｍ、高さ１０ｃｍ〜３０ｃｍとすれば、畦が切られた開口部に設置しやすく、好適である。
【００１７】
本考案にかかる土壌改良材施用具は、上記構成に加え、
「前記袋体は、水溶紙で形成されている」ものとすることができる。
【００１８】
「水溶紙」は、水によって溶解または崩壊する紙であり、カルボキシメチルセルロース、ポリビニルアルコール、デンプン、プルラン等を使用した公知の水溶紙を使用することができる。
【００１９】
上記構成の本考案では、土壌改良材を収容している袋体が水溶紙で形成されているため、水の作用によって袋体が自然に溶解または崩壊する。従って、土壌改良材を施用するために袋体を破断する必要がなく、更に手間が削減されている。また、水が袋体に作用するまでは、袋体に土壌改良材が封入された状態が保持されるため、放置されている間に土壌改良材が風によって飛散するおそれがない。
【００２０】
次に、本考案にかかる土壌改良材収容袋は、
「上記に記載の土壌改良材施用具に用いられる土壌改良材収容袋であって、
前記袋体は、前記外郭容器に挿脱可能に嵌挿される大きさ及び形状に形成されている」ものである。
【００２１】
袋体が「前記外郭容器に挿脱可能に嵌挿される大きさ及び形状」とは、外郭容器に袋体がほぼぴったりと収容される大きさ及び形状であることを指している。
【００２２】
上記構成により、新たな土壌改良材収容袋を補充しつつ、上記の土壌改良材施用具を使用することが可能となる。例えば、上記の土壌改良材施用具において、外郭容器がステンレスや樹脂などの耐用性の高い材料で形成されていれば、外郭容器は土壌に設置したまま継続使用することとし、内部に収容されていた土壌改良材が外部に流出してなくなった後に、新しい土壌改良材収容袋を田畑などの現場で外郭容器内にセットする、という使用の仕方が可能となる。
【００２３】
従って、本考案によれば、上記の土壌改良材施用具の使用に際して、消耗品である土壌改良材収容袋を容易に補充することができる。そして、袋体は外郭容器に合わせた大きさ及び形状であるため、外郭容器に収容可能な最大限、または最大限に近い量の土壌改良材を収容させることができると共に、外郭容器内に土壌改良材収容袋を挿入できないという不都合や、外郭容器から土壌改良材収容袋がはみ出るなどの不都合のないものとなっている。また、土壌改良材収容袋は、外郭容器一つ分の土壌改良材が予め袋体に封入されている構成であるため、土壌改良材を大容器に収容して保管しておき、使用の際に大容器から分取するという通常の方法に比べて、極めて効率よく楽な作業で使用することができる。
【考案の効果】
【００２４】
以上のように、本考案によれば、炭を含む土壌改良材を土壌に満遍なく施用できると共に、作業にかける労力や時間を低減することができる土壌改良材施用具、及び、該土壌改良材施用具に専ら用いられる土壌改良材収容袋を提供することができる。
【図面の簡単な説明】
【００２５】
【図１】本考案の第一実施形態の土壌改良材施用具の斜視図である。
【図２】図１の土壌改良材施用具の使用方法を説明する図である。
【図３】図１の土壌改良材施用具に専ら使用される土壌改良材収容袋を説明する図である。
【図４】本考案の第二実施形態の土壌改良材施用具の斜視図である。
【図５】図４の土壌改良材施用具の使用方法を説明する図である。
【図６】図４の土壌改良材施用具に専ら使用される土壌改良材収容袋を説明する図である。
【図７】第一実施形態について他の形態の外郭容器を備える場合の斜視図である。
【図８】第二実施形態について他の形態の外郭容器を備える場合の斜視図である。
【考案を実施するための形態】
【００２６】
以下、本考案を実施するための第一実施形態である土壌改良材施用具１について、図１乃至図３に基づいて説明する。土壌改良材施用具１は、図１に示すように、上方に開口している外郭容器１０と、少なくとも活性炭及び界面活性剤を含有する土壌改良材Ｍが袋体１２に封入されている土壌改良材収容袋１１とを具備し、土壌改良材収容袋１１は外郭容器１０に収容されているものである。また、外郭容器１０はパンチングメタル（ステンレス製）で逆円錐形状に形成されている。
【００２７】
より詳細に説明すると、袋体１２は、プラスチックシートにより、外郭容器１０より僅かに小さな寸法の逆円錐形状に形成されており、袋体１２に所定量の土壌改良材Ｍを収容させた後、開口部が封止されて、土壌改良材収容袋１１が形成されている。
【００２８】
土壌改良材として、本実施形態では以下の組成のものを使用している。
活性炭（ヤシ殻破砕炭、平均粒径０．２〜０．３ｍｍ）  ３０〜５０重量％
陰イオン界面活性剤（アルキル硫酸エステルナトリウム）  ５〜１０重量％
炭酸水素ナトリウム  ２０〜３５重量％
【００２９】
ここで、炭酸水素ナトリウムは、水に溶解して弱アルカリ性を示すため、酸性土を中和することができる。また、その他の成分として、麦飯石と称されている黄白色の石英斑岩または花崗斑岩の粉砕物（粉末状、粒状）を含有させることができる。この岩石は、微細な気孔を有する多孔質体であるため、活性炭と同様に、土壌の透水性・通気性の改善、有害物質の吸着作用、及び、微生物環境の改善が期待される。その他、多様なミネラル分を含む岩塩、酒類の醸造過程で産出され多種のアミノ酸を含むもろみ、タンパク質を豊富に含む緑藻類（クロレラ）等を適宜含有させることにより、土壌に養分を付加する肥料としての作用を兼ね備えた土壌改良材とすることができる。
【００３０】
第一実施形態の土壌改良材施用具１は、逆円錐形状の外郭容器１０の尖った部分を突き刺すようにして、極めて容易に土壌に設置することができ、例えば、図２に示すように、野菜などの作物Ｃｒを育てる畑Ｆにおいて、適宜の間隔で設置する。そして、プラスチックシート製の袋体１２を破断させて取り除いてから、土壌改良材施用具１を放置しておく。
【００３１】
これにより、降雨の際に、雨水の流れと共に活性炭が外郭容器１０の貫通孔を通過し、雨水が土壌に浸み込むのに伴って活性炭も土壌中に浸透していく。このとき、土壌改良材には界面活性剤が含有されているので、活性炭が雨水と良く馴染み、雨水と共に土壌の深層まで、且つ、外郭容器１０が設置された位置から離れた場所まで広範囲に亘り、満遍なく行き渡る。なお、図２は、畑Ｆを真上からみたところを模式的に図示している。
【００３２】
上記のように、第一実施形態の土壌改良材施用具１によれば、活性炭を土壌に撒く作業や、撒かれた活性炭を土壌にすき込み、土壌と混合する作業を必要とすることなく、労力や時間をかけずに、活性炭を含有する土壌改良材を土壌に満遍なく施用することができる。また、袋体１２を破断した後でも、活性炭を含む土壌改良材は外郭容器１０に収容されている状態であるため、外郭容器１０が障害となり、土壌改良材の風による飛散が抑制される。また、逆円錐形状の外郭容器１０を土壌に突き刺すように設置することにより、土壌改良材施用具１はある程度の深さで土壌に埋設された状態となるため、雨水の流れによって土壌改良材が土壌の表層を押し流され、畑Ｆなどの施用対象土壌から失われるおそれが低減されている。
【００３３】
加えて、本実施形態では、土壌改良材収容袋１１の袋体１２は、外郭容器１０より僅かに小さな寸法の逆円錐形状に形成されており、外郭容器１０に挿脱可能に嵌挿される大きさ及び形状であるため、土壌改良材がなくなった後は、図３に示すように、土壌に設置済みの外郭容器１０に対して、新たな土壌改良材収容袋１１を嵌挿させて、使用することができる。
【００３４】
これにより、ステンレス製であって耐水性、耐候性、耐腐食性に優れ、長期の使用に適している外郭容器１０は継続的に使用し、消耗品である土壌改良材収容袋１１のみを補充することにより、使用のたびに外郭容器１０ごと新品とする場合に比べて、経費を削減することができる。また、土壌改良材収容袋１１の袋体１２は外郭容器１０に合わせた形状及び大きさであるため、土壌に設置されている外郭容器１０に挿入する作業が極めて容易である。
【００３５】
実際に、土壌改良材が土壌１ｍ２当たり約１０ｇとなるように、第一実施形態の土壌改良材施用具１を畑に設置して、レタスを栽培した。そして、種まきから約１ヵ月後に、隣接する畑であって土壌改良材を施用しなかった畑と、レタスの生育状況を比較した。その結果、本実施形態の土壌改良材施用具１を使用した畑では、レタスの葉玉は、土壌改良材施用具を使用していない畑のレタスの葉玉の２倍以上の大きさに生育していた。また、根についても、土壌改良材施用具１を使用した畑のレタスでは、土壌改良材施用具を使用していない畑のレタスに比べて、約３倍の太さ、及び約２倍の長さに生育していた。これらのことから、土壌の質及び日照条件などの生育環境がほぼ同一であっても、本実施形態の土壌改良材施用具１を土壌に設置することにより、土壌が作物の生育に適したものに改良されることが確認された。
【００３６】
次に、第二実施形態の土壌改良材施用具２について、図４乃至図６を用いて説明する。
第二実施形態の土壌改良材施用具２は、図４に示すように、上方に開口している外郭容器２０と、少なくとも活性炭及び界面活性剤を含有する土壌改良材Ｍが袋体２２に封入されている土壌改良材収容袋２１とを具備し、土壌改良材収容袋２１は外郭容器２０に収容されている。また、外郭容器２０はステンレス製の網体で、有底角筒状に形成されている。
【００３７】
より詳細に説明すると、袋体２２は水溶紙製で、外郭容器２０より僅かに小さな寸法の略直方体に形成されており、袋体２２に所定量の土壌改良材Ｍを収容させた後、開口部がヒートシールされて、土壌改良材収容袋２１が形成されている。また、土壌改良材Ｍとしては、第一実施形態と同一のものが使用されている。更に、外郭容器２０には、手指を通すことができる一対の持手部２９が設けられている。
【００３８】
上記構成の土壌改良材施用具２は、外郭容器２０が有底角筒状をしているため、図５に示すように、用水路Ｗから水田Ｒｆに水を引き込む流入口に設置しやすい。具体的には、水田Ｒｆ周りの畦Ｒの一部を切り水門（図示省略）を設けた上で、畦Ｒが切られた開口部に嵌め込むように土壌改良材施用具２を設置する。ここで、外郭容器２０には持手部２９が設けられているため、ここに手をかけることにより、運搬や畦Ｒの開口部に設置する作業が行いやすい。
【００３９】
畦Ｒの開口部に土壌改良材施用具２を設置した後、水門を開ければ、用水路Ｗから水田Ｒｆに水が流入する。そして、水溶紙で形成された袋体２２が溶解または崩壊し、活性炭を含む土壌改良材が水に押し流され、外郭容器２０の網目を通過して、水と共に水田Ｒｆに流入する。このとき、土壌改良材には界面活性剤が含有されているので、活性炭は水中に均一に分散した状態となり、水の流れに伴い水田Ｒｆ全体の土壌に満遍なく行き渡る。
【００４０】
上記のように、第二実施形態の土壌改良材施用具２によれば、活性炭を土壌に撒く作業や、撒かれた活性炭を土壌にすき込み、土壌と混合する作業を必要とすることなく、労力や時間をかけずに、活性炭を含有する土壌改良材を土壌に満遍なく施用することができる。また、袋体２２は水溶紙で形成されており、水が作用するまでは土壌改良材は袋体２２に密封された状態であるため、土壌改良材が風で飛散するおそれがない。また、水溶紙で形成された袋体２２は水の作用によって自然に溶解または崩壊するため、第一実施形態とは異なり袋体を破断する必要がなく、より手間がかからず使い勝手のよいものとなっている。
【００４１】
加えて、本実施形態では、土壌改良材収容袋２１の袋体２２は、外郭容器２０より僅かに小さな寸法の略直方体に形成されており、外郭容器２０に挿脱可能に嵌挿される大きさ及び形状であるため、土壌改良材Ｍがなくなった後は、図６に示すように、畦の開口部に設置済みの外郭容器２０に対して、新たな土壌改良材収容袋２１を嵌挿させて、使用することができる。
【００４２】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００４３】
例えば、第一実施形態として、外郭容器１０がパンチングメタル製である場合を例示したが、これに限定されず、多数の貫通孔が設けられた樹脂製とすることができる。また、図７に示すように、網体で形成された外郭容器１０ｂを備える土壌改良材施用具１ｂとすることができる。加えて、第二実施形態として、外郭容器２０が網体で形成されている場合を例示したが、これに限定されず、図８に示すように、パンチングメタル製の外郭容器２０ｂを備える土壌改良材施用具２ｂとしても構わない。
【符号の説明】
【００４４】
１，１ｂ，２，２ｂ  土壌改良材施用具
１０，１０ｂ，２０，２０ｂ  外郭容器
１１，２１  土壌改良材収容袋
１２，２２  袋体
Ｍ  土壌改良材
【図１】
0003155185.tif 000003
【図２】
0003155185.tif 000004
【図３】
0003155185.tif 000005
【図４】
0003155185.tif 000006
【図５】
0003155185.tif 000007
【図６】
0003155185.tif 000008
【図７】
0003155185.tif 000009
【図８】
0003155185.tif 000010
【手続補正書】
【提出日】平成21年8月25日(2009.8.25)
【手続補正１】
【補正対象書類名】実用新案登録請求の範囲
【補正対象項目名】請求項５
【補正方法】変更
【補正の内容】
【請求項５】
土壌改良材施用具の網体またはパンチング材で形成され上方に開口している外郭容器、に収容される土壌改良材収容袋であって、
少なくとも活性炭及び界面活性剤を含有する土壌改良材が袋体に封入されており、
前記袋体は、前記外郭容器に挿脱可能に嵌挿される大きさ及び形状に形成されている
ことを特徴とする土壌改良材収容袋。